(57)【要約】【課題】  釣り場で水汲みできるのはもちろん、釣り上げた魚を掴むなどして魚のヌメリが手に付着した場合や、手に付いた釣餌の汚れや匂いを簡単に落とすことができる釣用容器を提供する。【解決手段】  合成樹脂により成形された水汲み可能なバケツ本体１２を有する釣用バケツ１０にあっては、バケツ本体の内側領域内に、手を洗浄する洗浄用部材４２を着脱可能に配設した。【選択図】      図２
2011030497.tif 000002
【特許請求の範囲】
【請求項１】
合成樹脂により成形された水汲み可能な容器本体を有する釣用容器であって、
前記容器本体の内側領域内に、手を洗浄する洗浄用部材を着脱可能に配設したことを特徴とする釣用容器。
【請求項２】
前記洗浄用部材は、合成樹脂製の固定板の表面に取り付けられ、
前記固定板の裏面には前記容器本体の内側領域に取り付けられる取付部を有することを特徴とする請求項１に記載の釣用容器。
【請求項３】
合成樹脂により成形された水汲み可能な容器本体を有する釣用容器であって、
前記容器本体の上部側に、前記容器本体の内側と外側との間を回動自在に取り付けられた取付板に、手を洗浄する洗浄用部材を配設したことを特徴とする釣用容器。
【請求項４】
前記洗浄用部材の表面は、凹凸状もしくは波型に形成されていることを特徴とする請求項１ないし請求項３のいずれか１に記載の釣用容器。
【発明の詳細な説明】
【技術分野】
【０００１】
この発明は、例えば釣りの際に手を洗浄する等、水を張ることが可能な釣用容器に関する。
【背景技術】
【０００２】
例えば特許文献１には、把手に紐が付き、水汲みの際にバランス良く引き上げることができる水汲み用バケツが開示されている。水汲み用バケツは、手洗い用、練り餌用等、種々の用途に用いられる。
【先行技術文献】
【特許文献】
【０００３】
【特許文献１】特開平１１−５６１９１号公報
【発明の概要】
【発明が解決しようとする課題】
【０００４】
釣り上げた魚を掴むなどして付着した魚のヌメリや手に付いた釣餌の汚れや匂いを落とすため、特許文献１に開示された水汲み用バケツで手洗いをする場合、バケツ内の水中で両手を擦り合わせて洗浄するのみである。しかし、水汲み用バケツの水中で両手を擦り合わせても魚の強いヌメリや匂いがある場合、取り去ることが出来ない。  
この発明は、このような課題を解決するためになされたもので、釣り場で水汲みできるのはもちろん、釣り上げた魚を掴むなどして魚のヌメリが手に付着した場合や、手に付いた釣餌の汚れや匂いを簡単に落とすことができる釣用容器を提供することを目的とする。
【課題を解決するための手段】
【０００５】
合成樹脂により成形された水汲み可能な容器本体を有する釣用容器にあっては、前記容器本体の内側領域内に、手を洗浄する洗浄用部材を着脱可能に配設したことを特徴とする。  
前記洗浄用部材は、合成樹脂製の固定板の表面に取り付けられ、前記固定板の裏面には前記容器本体の内側領域に取り付けられる取付部を有することが好適である。  
合成樹脂により成形された水汲み可能な容器本体を有する釣用容器にあっては、前記容器本体の上部側に、前記容器本体の内側と外側との間を回動自在に取り付けられた取付板に、手を洗浄する洗浄用部材を配設したことを特徴とする。  
前記洗浄用部材の表面は、凹凸状もしくは波型に形成されていることが好適である。
【発明の効果】
【０００６】
容器本体の内側領域内に洗浄用部材を着脱可能に配設したことにより、容器本体に水を汲んだ状態の水中で洗浄用部材に手を擦り付けて、簡単に魚のヌメリや釣餌を落とすことができる。しかも、ヌメリや釣餌が付着した方の手（片手）だけを容器本体内に入れ、その手を洗浄用部材に擦り付けることによって、容易にヌメリ等を落とすことができる。  
容器本体が合成樹脂のような柔軟な素材で形成されている場合であっても、洗浄用部材が固定板を介して取り付けられることにより、洗浄用部材に手を押し付けても固定板が変形し難くなっているので、洗浄用部材の形状を維持することができ、手の洗浄を容易に行うことができる。  
容器本体の内側と外側との間を容器本体の上部側を通して回動自在に取り付けられた取付板に手を洗浄する洗浄用部材を配設したことにより、洗浄用部材を容器の内側と外側とに切り替え配置することができる。このため、釣用容器を手の洗浄等に用いる場合と水汲みに用いる場合とを切り替えて使用することができる。そして、洗浄用部材を容器の内側に配置したときには、容器本体に水を汲んだ状態の水中で洗浄用部材に手を擦り付けて、簡単に魚のヌメリや釣餌を落とすことができる。しかも、ヌメリや釣餌が付着した方の手（片手）だけを容器本体内に入れ、その手を洗浄用部材に擦り付けることによって、容易にヌメリ等を落とすことができる。洗浄用部材を容器の外側に配置したときには、洗浄用部材の水洗い後の乾燥など、用途に応じて配置することができる。  
洗浄用部材の表面が凹凸状もしくは波型に形成されていることにより指の間等、片手で洗浄することが難しい箇所も洗浄用部材に擦り付けることにより容易に洗浄することができる。すなわち、洗浄用部材の表面を凹凸状もしくは波型にすることにより手の指先や指の間の洗浄効果を向上することができる。
【図面の簡単な説明】
【０００７】
【図１】第１から第５実施形態に係る釣用バケツを示す概略的な斜視図。
【図２】第１実施形態に係る釣用バケツのバケツ本体に対して洗浄用部材を着脱可能であり、洗浄用部材を固定板を介してバケツ本体に装着した状態と取り外した状態とに切り替えて使用可能であることを示す概略的な斜視図。
【図３】第１から第５実施形態に係る釣用バケツに用いられる洗浄用部材の外観を示し、（Ａ）は洗浄用部材に波型のスポンジが用いられることを示し、（Ｂ）は複数の突起を有するスポンジが用いられることを示す概略的な斜視図。
【図４】第２実施形態に係る釣用バケツのバケツ本体に対して洗浄用部材を着脱可能であり、洗浄用部材を固定板を介してバケツ本体に装着した状態と取り外した状態とに切り替えて使用可能であることを示す概略的な斜視図。
【図５】第３実施形態に係る釣用バケツのバケツ本体に対して、固定板に固定された洗浄用部材を内側に配置した状態と外側に配置した状態とを回動させて切り替えて使用可能であることを示す概略的な斜視図。
【図６】第４実施形態に係る釣用バケツのバケツ本体に固定されバケツ本体の内側および外側に回動可能なシートに対して着脱可能な固定板に固定された洗浄用部材を、バケツ本体の内側に配置した状態と外側に配置した状態とを切り替えて使用可能であり、内側に配置した状態を示す概略的な斜視図。
【図７】第４実施形態に係る釣用バケツのバケツ本体に固定されバケツ本体の内側および外側に回動可能なシートに対して着脱可能な固定板に固定された洗浄用部材を、バケツ本体の内側に配置した状態と外側に配置した状態とを切り替えて使用可能であり、シートを外側に配置し、固定板に固定された洗浄用部材が着脱可能である状態を示す概略的な斜視図。
【図８】第５実施形態に係る釣用バケツのバケツ本体に対して洗浄用部材を着脱可能であり、洗浄用部材をバケツ本体に装着した状態と取り外した状態とに切り替えて使用可能であることを示す概略的な斜視図。
【発明を実施するための形態】
【０００８】
以下、図面を参照しながらこの発明を実施するための形態について説明する。
【０００９】
第１実施形態について図１および図２を用いて説明する。  
図１は、本発明の好ましい実施形態による釣用バケツ（釣用容器）１０を示す。  
本実施形態の釣用バケツ１０は、バケツ本体（容器本体）１２と、把手１４とを有する。なお、把手１４には水汲みの際に例えば数メートル先にある水中に投げたバケツ本体１２を引き上げるための図示しない紐が取り付けられたり、結び付けられたりして用いられることも好ましい。
【００１０】
バケツ本体１２は、折り畳んだりすることが可能であるなど、柔軟性を有するように、合成樹脂製のシートを一体もしくは複数のシートを溶着等により接合（積層）して形成されていることが好ましい。合成樹脂製のシートには、例えばポリ塩化ビニル（ＰＶＣ）、エチレン酢酸ビニル共重合体（ＥＶＡ）、熱可塑性ポリウレタン（ＴＰＣ）等が用いられる。  
バケツ本体１２は、開口部２２を有する有底筒状に形成されている。ここでは、底壁部２４と４つの側壁部２６ａ，２６ｂ，２６ｃ，２６ｄとを有する四角形の箱状に形成されている。バケツ本体１２の対向する側壁部２６ｂ，２６ｄの上側縁部には、例えばＵ字状等の把手１４が取り付けられている。なお、バケツ本体１２の上側縁部は補強のために厚く形成されていたり、複数のシートの端面の境界が認識できないように滑らかに表面処理されていることが好ましい。
【００１１】
把手１４が取り付けられた側壁部２６ｂ，２６ｄとは異なる側壁部２６ａの内壁面には、固定板４０および洗浄用部材４２に対する取付部として装着プレート３２が固定されている。この装着プレート３２は例えば金属材製であっても良いが、合成樹脂製であることが好ましい。装着プレート３２は、側壁部２６ａに対して例えば超音波溶着、高周波溶着、接着等により固定されている。この装着プレート３２は、例えば矩形状の平面部３４と、この平面部３４と一体的に成形された１対のスライドレール３６とを有する。スライドレール３６はそれぞれの横断面が略Ｌ字状で、平面部３４の縁部から平面部３４が固定された側壁部２６ａに対向する側壁部２６ｃに向かって突出し、かつ、互いに向かって延出されている。
【００１２】
装着プレート３２には、固定板４０が着脱可能に嵌合されている。固定板４０には、洗浄用部材４２が取り付けられている。固定板４０は洗浄用部材４２の形が変形するのを抑制するため、固定板４０の方が洗浄用部材４２よりも剛性が高く形成されている。固定板４０には例えばポリウレタン系の合成樹脂等の板材が用いられる。固定板４０は、水中に入れたときに装着プレート３２に対する固定板４０の嵌合を解除しない程度に、水（例えば海水等）に対する浮力が小さくなるような素材が用いられることが好ましい。例えば固定板４０に水が浸み込むことによって浮力が小さくなるような素材が用いられることも好適である。
【００１３】
固定板４０は、平面状の基部４４と、この基部４４の裏面側に例えば基部４４と一体的に形成された略Ｔ字状の突起部（バケツ本体１２に対する取付部）４６とを有する。洗浄用部材４２は固定板４０の基部４４の表面に縫製や接着等により固定されている。  
突起部４６は、基部４４の横方向中央に沿って縦方向（バケツ本体１２の底壁部２４から開口部２２の方向）に延びた縦フレーム５２と、縦フレーム５２から縦方向に直交する横方向に延びた横フレーム５４とを一体的に有する。そして、基部４４と横フレーム５４との間は少なくともスライドレール３６の肉厚分だけ離されている。また、横フレーム５４の幅および厚さはスライドレール３６に嵌合される大きさに形成されている。  
なお、装着プレート３２のスライドレール３６と平面部３４とによって形成される領域は、開口部２２側から底壁部２４側に向かうにつれて次第に狭くなっていることが好ましい。このような形状を有すると、スライドレール３６の開口部２２側から底壁部２４側に突起部４６を嵌合させていく際に、嵌合力を次第に大きくすることができる。
【００１４】
洗浄用部材４２は固定板４０の基部４４の表面に対して例えば縫製や接着剤により固定されている。洗浄用部材４２は基部４４の表面の全面を覆うように固定されているか、又は、基部４４の縁部を残した状態でほぼ基部４４のほぼ全面を覆うことが好ましい。  
この実施形態では洗浄用部材４２は例えば綿状構造を有するたわしが用いられ、綿状構造のたわしには例えばナイロンや不織布が用いられる。洗浄用部材４２は綿状構造であることにより目詰まりし難くなっている。なお、不織布の繊維に研磨剤を合成樹脂接着剤等で固定すると、研磨剤の作用により単なる不織布の綿状構造であるよりも洗浄力を向上させることができる。
【００１５】
次に、この実施形態に係る釣用バケツ１０の作用について説明する。  
洗浄用部材４２を取り外しておいた魚釣用バケツ１０の把手１４に紐等を結びつけて例えば海中等に投入する。バケツ本体１２は柔軟な素材で形成され、折り畳まれている場合であっても、バケツ本体１２の開口部２２から水がバケツ本体１２の内部に入れられるにつれて海水の重みでバケツ本体１２が広がっていく。そして、紐を引くなどして、バケツ本体１２に海水が入って広げられた釣用バケツ１０を引き上げ、バケツ本体１２を底壁部２４を底部として地面に置く。
【００１６】
なお、この実施形態に係る釣用バケツ１０を用いる場合、水汲みの前に予め洗浄用部材４２が固定された固定板４０の突起部４６を側壁部２６ａの装着プレート３２に取り付けていても良いし、水汲みの後に取り付けても良い。ここでは、水汲みの後に固定板４０を装着プレート３２に装着する場合について説明する。
【００１７】
この状態のバケツ本体１２の装着プレート３２に対して、洗浄用部材４２を固定した固定板４０を装着する。具体的には、スライドレール３６に対して固定板４０の突起部４６の縦フレーム５２から横方向に延出した横フレーム５４を嵌合させる。このとき、洗浄用部材４２はバケツ本体１２の対向する側壁部２６ｃ側を向く。
【００１８】
そして、片手だけを洗浄する場合は、洗浄したい方の手をバケツ本体１２内の水に浸けて指同士を擦り合わせたり、指を掌に擦り合わせたり、指、掌、手の甲等を洗浄用部材４２に擦り付けたりする。  
洗浄用部材４２は硬質の固定板４０に固定され、固定板４０は装着プレート３２に嵌合されているので、洗浄用部材４２に手を擦り付けたときの位置ズレが防止されている。そして、洗浄用部材４２は綿状のたわし等で形成されているので、手を洗浄用部材４２に擦り付けることにより、魚を掴んだときに付着したヌメリや釣餌を摘んだときの手の汚れや匂いを除去することができる。すなわち、片手だけ水中に浸けた場合であっても魚を掴んだときに付着したヌメリや釣餌を摘んだときの手の汚れや匂いを除去することができる。このように、両手を擦り合わせる必要がないので、右手だけ洗浄したい場合や左手だけ洗浄したい場合などに片手をバケツ本体１２の水中に浸けて洗浄用部材４２に擦り付けるだけで容易に手の洗浄を行うことができる。
【００１９】
また、両手を洗浄する場合、バケツ本体１２内で両手を擦り合わせたり、両手をそれぞれ洗浄用部材４２に擦ることによって、魚のヌメリや釣餌の手の汚れや匂いを除去することもできる。
【００２０】
一方、バケツ本体１２内から水を捨てて洗浄用部材４２自体を洗ったり乾燥等させたり、バケツ本体１２内を洗浄する際には、バケツ本体１２内の装着プレート３２から固定板４０を取り外すことができる。このため、固定板４０および洗浄用部材４２を容易に洗浄し、乾燥等することができる。そして、洗浄用部材４２は魚釣りの最中に汚れや匂いが付着して取れ難くなる場合があるので、洗浄用部材４２が取り付けられた固定板４０を複数枚用意しておくと、魚釣りの最中に新たな洗浄用部材４２に交換することができる。
【００２１】
なお、装着プレート３２と固定板４０との嵌合の機構は図２に示すものに限ることはなく、種々の機構を採用できる。
【００２２】
この実施形態では洗浄用部材４２として図１および図２に示す綿状構造のたわしを用いる例について説明したが、洗浄用部材４２として図３（Ａ）および図３（Ｂ）に示す形状の発泡スポンジを用いることも好ましい。なお、発泡スポンジの材質として、ポリスチレン、ポリウレタン、ポリエチレン等が用いられることが好適で、これらは連続気泡タイプであることが好ましい。  
図３（Ａ）に示す洗浄用部材４２としての発泡スポンジは略波型に形成され、凸部６２ａと凹部６２ｂとが滑らかに連続して形成されている。凸部６２ａと凹部６２ｂとのセット、すなわち、波の１周期に相当する部分は、図３（Ａ）では２周期分であることを示しているが、さらに多数周期分であることも好ましい。また、図３（Ａ）では、凸部６２ａおよび凹部６２ｂが横方向に長手方向を有するように形成されているが、縦方向に長手方向を有するように形成されていても良い。このように洗浄用部材４２が波型形状を有することにより、指の間等の片手では洗浄し難い部分も容易に洗浄することができる。  
図３（Ｂ）に示す洗浄用部材４２としての発泡スポンジは固定板４０の基部４４に固定されたベース部６４ａと、ベース部６４ａから突出した多数（複数）の突部６４ｂとを有する。ベース部６４ａは略直方体状に形成されている。突部６４ｂは図３（Ｂ）中では略直方体状に形成され、かつ、ベース部６４ａ上に整列された状態に形成されている。このような突部６４ｂにより、指の間等の片手では洗浄し難い部分も容易に洗浄することができる。
【００２３】
その他、洗浄用部材４２は、単一素材で形成されているのではなく、例えば洗浄用部材４２の最下部等の一部がブラシ状に形成されていると、爪の間等の洗浄を行うことができる。
【００２４】
次に、第２実施形態について図４を用いて説明する。この実施形態は第１実施形態の変形例であって、第１実施形態で説明した部材と同一の部材や同一の機能を有する部材には適宜に同じ符号を付し、説明を省略する。以下、第３から第５実施形態も同様である。  
この実施形態では、側壁部２６ａの内壁面から装着プレート３２（図２参照）が除去され、固定板４０の基部４４の裏面から突起部４６（図２参照）が除去されている。
【００２５】
図４に示すように、側壁部２６ａの内壁面には、固定板４０および洗浄用部材４２に対する取付部として雌型フック（ホック）７２が固定されている。なお、雌型フック７２は例えば４つなど複数固定されていることが好ましい。一方、固定板４０の基部４４の裏面には、側壁部２６ａの内壁面に固定された雌型フック７２に係合する複数の雄型フック（バケツ本体１２に対する取付部）７４が固定されている。  
なお、雌型フック７２、雄型フック７４には例えば衣服等に用いられるのと同様の金属スナップや樹脂スナップが用いられる。これら雌型フック７２、雄型フック７４は超音波溶着、高周波溶着、接着などにより側壁部２６ａの内壁面や固定板４０の基部４４に固定されている。したがって、洗浄用部材４２を取り付けた固定板４０の基部４４の裏面の雌型フック７２を、バケツ本体１２の側壁部２６ａの内壁面の雄型フック７４に装着することにより洗浄用部材４２を側壁部２６ｃに対向した位置に着脱可能に固定することができる。洗浄用部材４２は固定板４０を介して側壁部２６ａの内壁面に装着されているので、手の洗浄中に固定板４０および洗浄用部材４２が位置ズレ等するのを防止することができる。  
側壁部２６ａに対して固定板４０を取り外す際には、側壁部２６ａに対して固定板４０を、対向する側壁部２６ｃに向かって引っ張れば良い。
【００２６】
なお、この実施形態に係る釣用バケツ１０を用いる場合、水汲みの前に予め固定板４０を側壁部２６ａに装着しても良いし、水汲みの後に固定板４０を側壁部２６ａに装着しても良い。
【００２７】
この実施形態では雌型フック７２を側壁部２６ａの内壁面に、雄型フック７４を固定板４０の裏面に固定した場合について説明したが、雄雌は逆であっても構わない。
【００２８】
なお、雌型フック７２、雄型フック７４に用いられる金属スナップや樹脂スナップの代わりに、面ファスナを用いることもできる。また、洗浄用部材４２と固定板４０の基部４４との間の固定に面ファスナを用いることもでき、この場合、洗浄用部材４２を容易に着脱することができるので、洗浄用部材４２が汚れたり匂いが取れなくなったときなどに容易に洗浄することができる。
【００２９】
次に、第３実施形態について図５を用いて説明する。この実施形態は第２実施形態の変形例である。  
図５に示すように、バケツ本体１２の側壁部２６ａには、後述するリング８０がそれぞれ配設される例えば２つの貫通孔（図示せず）が形成されている。これら貫通孔はバケツ本体１２の側壁部２６ａの上側縁部に近接する位置に適宜の間隔をもって形成されていることが好ましい。  
側壁部２６ａの貫通孔の下側の内壁面には、２つの雌型フック７２が固定され、この実施形態では２つの固定板４０の雄型フック７４が係合される。
【００３０】
固定板４０の基部４４の上側部分には、バケツ本体１２の側壁部２６ａの貫通孔と略同じ間隔に透孔７８が形成されている。これら透孔７８は基部４４を貫通している。そして、バケツ本体１２の側壁部２６ａの貫通孔と、固定板４０の基部４４の透孔７８には、リング８０が通されて、側壁部２６ａに固定板４０の基部４４が連結されている。そして、リング８０によって、固定板４０が側壁部２６ａの上側を通して内側と外側との間を略３６０度近く回動させて移動することができる。
【００３１】
このため、水汲みをする際には、固定板４０をバケツ本体１２の内側又は外側に配置した状態で行い、手を洗浄する際には固定板４０をバケツ本体１２の内側に切り替えて配置する。固定板４０をバケツ本体１２の内側に配置する場合、側壁部２６ａの雌型フック７２に対して固定板４０の裏面の雄型フック７４が嵌合して、固定板４０を側壁部２６ａに対して簡単に固定することができる。
【００３２】
逆に、固定板４０をバケツ本体１２の外側に配置する場合、側壁部２６ａに対して固定板４０を引っ張ることによって側壁部２６ａに対する固定板４０の固定を解除することができる。このとき、側壁部２６ａの外周壁に洗浄用部材４２を押し付けることができるので、洗浄用部材４２の水分を除去するのを容易に行うことができる。
【００３３】
なお、リング８０は必ずしも環状でなくても良く、例えばＣ字状であっても良い。この場合、リング８０の弾性力によって固定板４０が着脱可能である。また、リング８０に図示しないヒンジ部が設けられ、そのヒンジ部によってリング８０が開閉することによってリング８０を側壁部２６ａに対して、更には固定板４０をリング８０に対して着脱可能としても良い。その他、例えば、リング８０の代わりにクリップ（図示せず）により固定板４０を挟むように留めても良い。
【００３４】
次に、第４実施形態について図６および図７を用いて説明する。この実施形態は第３実施形態の変形例である。  
図６および図７に示すように、バケツ本体１２の側壁部２６ａの外壁面の上側縁部には、可撓性を有する例えば矩形状の柔軟な板状部材（取付板）８４が超音波溶着、高周波溶着、接着等により固定されている。なお、この板状部材８４はバケツ本体１２と同じ素材が用いられることが好ましい。そして、板状部材８４はバケツ本体１２の側壁部２６ａの上側縁部に固定され、これが柔軟に形成されているので、図６に示すようにバケツ本体１２の内側にある状態から、図７に示すようにバケツ本体１２の外側にある状態に側壁部２６ａの上側を通して略３６０度回動させて移動させることができる。
【００３５】
そして、図６に示すように、板状部材８４がバケツ本体１２の内側に配置されたときに側壁部２６ｃに対向する面には、２つの雌型フック８６ａが固定されている。図７に示すように、板状部材８４がバケツ本体１２の外側に配置されたとき外側を向く面には、２つの雌型フック８６ｂが固定されている。そして、上述したように、固定板４０の裏面には、雄型フック７４が固定されている。このため、板状部材８４をバケツ本体１２の内側に配置した状態では雌型フック８６ａに固定板４０の雄型フック７４を装着し、板状部材８４をバケツ本体１２の外側に配置した状態では雌型フック８６ｂに固定板４０の雄型フック７４を装着することができる。
【００３６】
また、側壁部２６ａの内壁面の図５に符号７２で示す位置には、板状部材８４の雌型フック８６ｂに装着可能な雄型フックが形成されている。さらに、側壁部２６ａの外壁面には、板状部材８４の雌型フック８６ａに装着可能な雄型フック（図示せず）が形成されている。このため、釣用バケツ１０に水汲み等をする際には、板状部材８４を側壁部２６ａの内壁面又は外壁面に装着することによって、板状部材８４をバタつかせずに行うことができる。  
そして、板状部材８４をバケツ本体１２の内側に配置した状態では水中に固定板４０の洗浄用部材４２を浸けることができ、板状部材８４をバケツ本体１２の外側に配置した状態では洗浄用部材４２を装着したまま日に当てて洗浄用部材４２を乾燥等することができる。
【００３７】
次に、第５実施形態について図８を用いて説明する。この実施形態は第１から第４実施形態の変形例である。  
図８に示すように、側壁部２６ａの内壁面には、洗浄用部材４２が着脱可能な、例えば横方向に配置された２つの固定用ベルト９２ａ，９２ｂの端部が固定されている。これら固定用ベルト９２ａ，９２ｂは、バケツ本体１２と同じ素材で形成されていることが好ましく、高周波ウェルダ加工などにより固定されている。
【００３８】
この場合、第１実施形態から第４実施形態とは異なり、洗浄用部材４２に固定板４０を使用していない。洗浄用部材４２は綿状構造やスポンジ状に形成され弾性変形するので、洗浄用部材４２を固定用ベルト９２ａ，９２ｂと側壁部２６ａとの間に狭持する際には手で洗浄用部材４２を摘んで縮めた状態で固定用ベルト９２ａ，９２ｂと側壁部２６ａとの間に入れていく。逆に、取り外す際には、手で洗浄用部材４２を摘んで縮めて引っ張り出す。  
なお、固定用ベルト９２ａ，９２ｂは例えばゴム材など伸縮性を有することも好ましい。このような伸縮性を有すると、洗浄用部材４２を側壁部２６ａの内壁面に押し付けることができる。
【００３９】
また、この実施形態においても、固定板４０に洗浄用部材４２を固定した状態で使用することができる。固定板４０が洗浄用部材４２よりも剛性が大きいので、固定用ベルト９２ａ，９２ｂに固定板４０に装着した洗浄用部材４２を固定する際に、固定板４０および洗浄用部材４２の変形を抑制した状態で固定することができる。さらに、固定用ベルト９２ａ，９２ｂと側壁部２６ａの内壁面との間に固定板４０に装着した洗浄用部材４２を固定する際には、固定用ベルト９２ａ，９２ｂと第２から第４実施形態で説明したフックの両者を使用することも好ましい。
【００４０】
これまで、いくつかの実施形態について図面を参照しながら具体的に説明したが、この発明は、上述した実施形態に限定されるものではなく、その要旨を逸脱しない範囲で行なわれるすべての実施を含む。
【符号の説明】
【００４１】
１０…釣用バケツ（釣用容器）、１２…バケツ本体（容器本体）、１４…把手、２２…開口部、２４…底壁部、２６ａ−２６ｄ…側壁部、３２…装着プレート、３４…平面部、３６…スライドレール、４０…固定板、４２…洗浄用部材、４４…基部、４６…突起部、５２…縦フレーム、５４…横フレーム、６２ａ…凸部、６２ｂ…凹部、６４ａ…ベース部、６４ｂ…突部、７２…雌型フック、７４…雄型フック、７８…透孔、８０…リング、８４…板状部材（取付板）、８６ａ，８６ｂ…雌型フック、９２ａ，９２ｂ…固定用ベルト。
【図１】
2011030497.tif 000003
【図２】
2011030497.tif 000004
【図３】
2011030497.tif 000005
【図４】
2011030497.tif 000006
【図５】
2011030497.tif 000007
【図６】
2011030497.tif 000008
【図７】
2011030497.tif 000009
【図８】
2011030497.tif 000010